(57)【要約】【課題】表示部の角度を自由に変更することが可能な表示装置を提供する。【解決手段】表示部と、前記表示部と前記表示部の取付対象とを接続し、前記表示部または前記取付対象に対する傾斜角度を各々独立に変更可能な、４の倍数本のアームとを備えた表示装置。【選択図】図２
2013088626.tif 000002
【特許請求の範囲】
【請求項１】
表示部と、
前記表示部と前記表示部の取付対象とを接続し、前記表示部または前記取付対象に対する傾斜角度を各々独立に変更可能な、４の倍数本のアームと
を備えた表示装置。
【請求項２】
前記アームの各々は、軸部と、前記軸部の両端の第１可動接合部および第２可動接合部を有し、前記第１可動接合部は前記表示部および前記取付対象の一方に対して回転可能に取り付けられ、前記第２可動接合部は前記表示部および前記取付対象の他方に対して面内移動可能に取り付けられている
請求項１記載の表示装置。
【請求項３】
前記第１可動接合部および前記第２可動接合部は、球状である
請求項２記載の表示装置。
【請求項４】
前記第１可動接合部は、前記表示部および前記取付対象の一方における第１特定位置に配置され、
前記第２可動接合部は、前記表示部および前記取付対象の他方における第２特定位置から放射状に面内移動可能である
請求項２記載の表示装置。
【請求項５】
前記第２可動接合部は、前記表示部または前記取付対象の他方に固定された一対の板の間に挟み込まれていると共に前記一対の板に設けられた案内溝に沿って面内移動可能である
請求項４記載の表示装置。
【請求項６】
前記一対の板はスペーサを挟んでねじにより固定されており、前記ねじの座面と前記板との間にゴムワッシャが設けられている
請求項５記載の表示装置。
【請求項７】
前記表示部および前記取付対象の一方に固定されると共に前記第１可動接合部を回転可能に収容する保持器を有するアームホルダーを備えた
請求項２記載の表示装置。
【発明の詳細な説明】
【技術分野】
【０００１】
本開示は、表示部の角度を変更することが可能な表示装置に関する。
【背景技術】
【０００２】
従来より、例えば特許文献１に記載されたように、ビデオカメラ装置に搭載されたモニタ装置（表示部）をヒンジ機構により上下方向に回動可能とすることが提案されている。
【先行技術文献】
【特許文献】
【０００３】
【特許文献１】特開平８−９８０６８号公報
【発明の概要】
【発明が解決しようとする課題】
【０００４】
しかしながら、このような従来構成では、表示部を３６０°全方向に動かすことは難しく、なお改善の余地があった。
【０００５】
本開示の目的は、表示部の角度を自由に変更することが可能な表示装置を提供することにある。
【課題を解決するための手段】
【０００６】
本開示による表示装置は、以下の（Ａ），（Ｂ）の構成要素を備えたものである。
（Ａ）表示部
（Ｂ）表示部と表示部の取付対象とを接続し、表示部または取付対象に対する傾斜角度を各々独立に変更可能な、４の倍数本のアーム
【０００７】
本開示の表示装置では、表示部とこの表示部の取付対象とが、４の倍数本のアームにより接続されている。アームの表示部または取付対象に対する傾斜角度を各々独立に変更させることにより、表示部の角度が自由に変えられる。
【発明の効果】
【０００８】
本開示の表示装置によれば、表示部と表示部の取付対象とを４の倍数本のアームにより接続し、アームの表示部または取付対象に対する傾斜角度を各々独立に変更可能としたので、表示部の角度を自由に変更することが可能となる。
【図面の簡単な説明】
【０００９】
【図１】本開示の一実施の形態に係る表示装置を備えた撮像装置の外観を表す斜視図である。
【図２】図１に示した表示部の上辺を手前に倒して、表示部の裏側を上方から見た構成を表す斜視図である。
【図３】図２に示したアームの構成を表す斜視図である。
【図４】図２に示したアームと表示部との接続を説明するための分解斜視図である。
【図５】図２に示したアームと本体部との接続を説明するための分解斜視図である。
【図６】図５に示したゴムワッシャの固定状態を表す断面図である。
【図７】図２に示したアームの本体部に対する傾斜角度の変更を説明するための図である。
【図８】図１における第２可動接合部の位置を表す図である。
【図９】横位置ハイアングルの表示部の状態を表す斜視図である。
【図１０】図９における第２可動接合部の位置を表す図である。
【図１１】横位置ローアングルの表示部の状態を表す斜視図である。
【図１２】図１１における第２可動接合部の位置を表す図である。
【図１３】縦位置ローアングルの表示部の状態を表す斜視図である。
【図１４】図１３における第２可動接合部の位置を表す図である。
【図１５】縦位置ハイアングルの表示部の状態を表す斜視図である。
【図１６】図１５における第２可動接合部の位置を表す図である。
【図１７】表示部を斜めにした状態を表す斜視図である。
【図１８】図１７における第２可動接合部の位置を表す図である。
【図１９】横位置ハイアングルから縦位置ハイアングルに変更する動作を説明するための斜視図である。
【図２０】縦位置ローアングルから横位置ローアングルに変更する動作を説明するための斜視図である。
【図２１】従来の撮像装置における表示部の角度変更の動作を説明するための斜視図である。
【図２２】縦位置コントロールグリップを装着した状態を表す斜視図である。
【図２３】従来の撮像装置における表示部と縦位置コントロールグリップとの干渉を説明するための斜視図である。
【図２４】アームを８本設けた場合の案内溝の例を表す平面図である。
【発明を実施するための形態】
【００１０】
以下、本開示の実施の形態について図面を参照して詳細に説明する。
【００１１】
図１は、本開示の一実施の形態に係る表示装置を備えた撮像装置（デジタル一眼レフカメラ）の背面側から見た構成を表したものである。この撮像装置１は、例えば、本体部２の背面に表示装置３を有している。なお、図面では、光軸方向（カメラ前後方向）をｚ方向、カメラ横方向（左右方向）をｘ方向、カメラ縦方向（上下方向）をｙ方向とする。
【００１２】
本体部２は、前面に撮像レンズ（図示せず）、背面上方にファインダ１１，アイセンサ１２およびこれらを取り囲むアイフード１３を有している。アイフード１３は取り外し可能であってもよい。本体部２の上面には、ストロボ発光装置などのアクセサリーを装着するためのアクセサリーシュー１４が設けられている。また、本体部２は、撮像レンズ（図示せず）を通じて撮像された画像を、例えば内蔵されたメモリやハードディスク、または外付け用スロットに挿入された目盛りやハードディスクなどの記録媒体に記録する。
【００１３】
本体部２の背面は、後部外装部材（リアカバー）１５（図４および図５参照。）によって覆われている。この後部外装部材１５には、ファインダ１１下方の領域に、表示装置３の後述する表示部２０を収納する収納部１６が設けられている。収納部１６は、表示部２０とほぼ同寸法の矩形であり、必要に応じて、表示装置３の形状に合わせた凹凸が設けられている。
【００１４】
表示装置３は、撮像レンズ（図示せず）による撮像画像を表示するものであり、例えば液晶表示パネルよりなる矩形の表示部２０を有している。表示部２０は、図１に示したように本体部２の背面の一部をなすような状態で収納部１６に収納可能である。なお、表示部２０は、図示しないＦＰＣ（Flexible Printed Circuit）等により本体部２に接続されている。
【００１５】
図２は、表示部２０の上辺を手前に倒して、表示部２０の裏側を上方から見た構成を表したものである。表示部２０の裏側には、複数（例えば図２では４本）のアーム３０が設けられている。アーム３０は、表示部２０と、この表示部２０の取付対象である本体部２とを接続するものであり、本体部２に対する傾斜角度を各々独立に変更可能である。これにより、この表示装置３では、表示部２０の角度を自由に変更することが可能となっている。
【００１６】
図３は、一本のアーム３０の構成を表したものである。各アーム３０は、軸部３１と、この軸部３１の両端の第１可動接合部３２および第２可動接合部３３を有している。軸部３１は、例えば、直線状であると共に、太さが一定の棒状であり、断面形状は特に限定されない。第１可動接合部３２および第２可動接合部３３は、具体的には、例えば球状であることが好ましい。球状にすることにより様々な方向に動かすことが可能となるからである。なお、第１可動接合部３２および第２可動接合部３３は、軸部３１よりも大きい直径を有する球であることは言うまでもない。
【００１７】
このようなアーム３０は、例えば金属または樹脂により構成されている。樹脂としては、ＡＢＳ樹脂（アクリロニトリル−ブタジエン−スチレン樹脂）またはＰＣ樹脂（ポリカーボネート樹脂）などが挙げられる。特に、ＡＢＳ樹脂の中でも摺動性の高いものが好ましい。
【００１８】
図４は、図２に示したアーム３０の本体部２よりも外側の構成を表したものである。表示部２０は、液晶セル２１を、表側被覆部材２２と、裏側被覆部材２３との間に挟んだ構成を有している。アーム３０は、表示部２０の裏側被覆部材２３と、本体部２の後部外装部材１５の収納部１６との間に設けられている。第１可動接合部３２は、表示部２０の第１特定位置Ｐ１（例えば、表示部２０の中心つまり対角線の交点）に集中して配置されている。第２可動接合部３３は、本体部２の収納部１６における第２特定位置Ｐ２（例えば、収納部１６の四つの角）から、収納部１６の対角線上を、収納部１６の中心つまり対角線の交点に向かって、放射状にｘｙ平面内で移動可能である。なお、第１特定位置Ｐ１は、表示部２０の中心の一点だけでなくその近傍を含む領域であり、第２特定位置Ｐ２は、収納部１６の四つの角の各点だけでなくその近傍を含む領域である。
【００１９】
第１可動接合部３２は、表示部２０に対して回転可能に取り付けられている。具体的には、表示部２０の裏側被覆部材２２の第１特定位置Ｐ１には、アームホルダー４０がゴムワッシャ４１を挟んでねじ（図示せず）により固定されている。このアームホルダー４０は、第１可動接合部３２を回転可能に収容する保持器４２を有している。保持器４２は、アーム３０の本数（例えば４本）と同数（例えば４個）設けられており、一つの第１可動接合部３２が一つの保持器４２内に、３６０度回転可能に保持されるようになっている。ゴムワッシャ４１は、挟み込みの力を調節し、これにより第１可動接合部３２の摺動力を微調整するためのものである。
【００２０】
図５は、図２に示したアーム３０の本体部２よりも内側の構成を表したものである。第２可動接合部３３は、本体部２に対してｘｙ平面内で移動可能に取り付けられている。具体的には、第２可動接合部３３は、本体部２の収納部１６に固定された一対の板５１，５２の間に挟み込まれていると共に、この一対の板５１，５２に設けられた案内溝５３に沿って移動可能である。案内溝５３は、本体部２の収納部１６における第２特定位置Ｐ２から、収納部１６の対角線上を、収納部１６の中心に向かって、放射状に設けられている。
【００２１】
一対の板５１，５２のうち外側の板５１は、後部外装部材１５の収納部１６の底面をなすものであり、収納部１６の補強板としての機能も有している。内側の板５２は、第２可動接合部３３を本体部２の内側から支える押さえ板としての機能を有するものである。案内溝５３は、一対の板５１，５２の両方に設けられていてもよいし、外側の板５１のみに設けられていてもよい。
【００２２】
一対の板５１，５２はスペーサ５４を挟んでねじ５５（図５には図示せず、図６参照。）により固定されている。図６に示したように、ねじ５５の座面５５Ａと板５１，５２との間には、ゴムワッシャ５６が設けられていることが好ましい。ゴムワッシャ５６により第２可動接合部３３の挟み込み強さを調節し、これにより第２可動接合部３３の摺動力を微調整することが可能となる。
【００２３】
この表示装置３を備えた撮像装置１では、４本のアーム３０の本体部２に対する傾斜角度を各々独立に変更することにより表示部２０の傾斜角度（画面の向き）を自由に変更可能である。
【００２４】
具体的には、各アーム３０の第２可動接合部３３を案内溝５３内で移動させることにより、各アーム３０の本体部２に対する傾斜角度をほぼ０度（平行）からほぼ９０度（垂直）まで任意に変更することが可能である。すなわち、図７（Ａ）に示したように、アーム３０の第２可動接合部３３が第２特定位置Ｐ２すなわち案内溝５３の外側の端５３Ａにある場合には、第１可動接合部３２も案内溝５３の内側の端５３Ｂに入っており、アーム３０の本体部２に対する傾斜角度θｍｉｎは最小（ほぼ０度）となる。図７（Ｂ）に示したように、第２可動接合部３３が案内溝５３内を収納部１６の中心に向かって内側へ移動するにつれて、アーム３０の本体部２に対する傾斜角度θは大きくなる。図７（Ｃ）に示したように、第２可動接合部３３が案内溝５３の内側の端５３Ｂにある場合には、アーム３０の本体部２に対する傾斜角度θｍａｘは最大（ほぼ９０度）となる。同様にして、４本のアーム３０の全部について本体部２に対する傾斜角度θが各々独立に調整されることにより、表示部２０の傾斜角度が上下３６０度、左右３６０度に任意に変更される。
【００２５】
例えば図１に示したように表示部２０が収納部１６に収納されている状態では、図８に示したように、４本のアーム３０の第２可動接合部３３（３３Ａ〜３３Ｄ）は、すべて第２特定位置Ｐ２すなわち案内溝５３の外側の端５３Ａにある。すなわち、４本のアーム３０の本体部２に対する傾斜角度θｍｉｎはすべて最小（ほぼ０度）となっている。このように表示部２０が収納部１６に収納された状態では、アーム３０の全体が表示部２０の裏側に隠れ、外からは全く見えなくなる。よって、撮像装置１の美観が向上する。また、アーム３０が本体部２の背面の操作部材配置スペースを圧迫することがなくなる。
【００２６】
ここで、横位置ハイアングル（撮像装置１を横長に持って高い位置で（例えば頭上）に構える撮影方法）で撮影したい場合には、図９に示したように、本体部２を横にして、表示部２０の上辺を手前に倒す。これにより、図１０に示したように、表示部２０の上辺の２本のアーム３０の第２可動接合部３３Ａ，３３Ｄが、案内溝５３に沿って移動し、内側の端５３Ｂにくる。表示部２０の下辺の２本のアーム３０の第２可動接合部３３Ｂ，３３Ｃは、案内溝５３の外側の端５３Ａにとどまっている。
【００２７】
横位置ローアングル（撮像装置１を横長に持って低い位置（例えば腹部）に構える撮影方法）で撮影したい場合には、図１１に示したように、本体部２を横にして、表示部２０の上辺を本体部２側へ押し付けると共に、表示部２０の下辺を手前に引き出す。これにより、図１２に示したように、表示部２０の上辺の２本のアーム３０の第２可動接合部３３Ａ、３３Ｄが、案内溝５３に沿って移動し、第２特定位置Ｐ２すなわち外側の端５３Ａに戻る。一方、表示部２０の下辺の２本のアーム３０の第２可動接合部３３Ｂ，３３Ｃは、案内溝５３に沿って移動し、内側の端５３Ｂにくる。
【００２８】
なお、表示部２０は、図９に示した横位置ハイアングルと、図１１に示した横位置ローアングルとの間で任意の角度に傾ける（横位置チルト）ことが可能であることは言うまでもない。
【００２９】
縦位置ローアングル（撮像装置１を縦長にもって低い位置（例えば腹部）に構える撮影方法）で撮影したい場合には、図１３に示したように、本体部２を縦にして、表示部２０の右辺を本体部２側へ押し付けると共に、表示部２０の左辺を手前に引き出す。これにより、図１４に示したように、表示部２０の右辺の２本のアーム３０の第２可動接合部３３Ｃ、３３Ｄが、案内溝５３に沿って移動し、第２特定位置Ｐ２すなわち外側の端５３Ａに戻る。一方、表示部２０の下辺の２本のアーム３０の第２可動接合部３３Ａ，３３Ｂは、案内溝５３に沿って移動し、内側の端５３Ｂにくる。
【００３０】
縦位置ハイアングル（撮像装置１を縦長にもって高い位置（例えば頭上）に構える撮影方法）で撮影したい場合には、図１５に示したように、本体部２を縦にして、表示部２０の左辺を本体部２側へ押し付けると共に、表示部２０の右辺を手前に引き出す。これにより、図１６に示したように、表示部２０の左辺の２本のアーム３０の第２可動接合部３３Ａ、３３Ｂが、案内溝５３に沿って移動し、第２特定位置Ｐ２すなわち外側の端５３Ａに戻る。一方、表示部２０の下辺の２本のアーム３０の第２可動接合部３３Ｃ，３３Ｄは、案内溝５３に沿って移動し、内側の端５３Ｂにくる。
【００３１】
なお、表示部２０は、図１３に示した縦位置ローアングルと、図１５に示した縦位置ハイアングルとの間で任意の角度に傾ける（縦位置チルト）ことが可能であることは言うまでもない。
【００３２】
更に、縦位置・横位置のいずれの場合も、図１７に示したように、表示部２０を斜めにして撮影することも可能である。例えば、表示部２０の右下の角を本体部２側へ押し付けると共に、表示部２０の左上の角を手前に引き出す。これにより、図１８に示したように、表示部２０の右下のアーム３０の第２可動接合部３３Ｂが、案内溝５３に沿って移動し、第２特定位置Ｐ２すなわち外側の端５３Ａに戻る。一方、残りの３本のアーム３０の第２可動接合部３３Ａ，３３Ｃ，３３Ｄは、案内溝５３に沿って移動し、内側の端５３Ｂにくる。なお、図１７には、一例として、表示部２０を右斜め下方に向けた状態を表しているが、表示部２０の右斜め上方、左斜め上方または左斜め下方に向けることも可能であることは言うまでもない。
【００３３】
表示部２０の移動範囲は、図９，図１１，図１３，図１５および図１７に示したように、４本のアーム３０によって規制されるので、収納部１６の真上の空間にほぼ収まっており、そこから大幅にはみ出すことはない。よって、撮像レンズ（図示せず）の光軸Ａ近傍で、縦位置チルト・横位置チルトの両方が可能となり、光軸Ａ（撮影レンズの中心）と表示部２０の中心とのずれが小さくなり、撮像装置１を使用者の正面に構える自然な姿勢で撮影が可能となる。
【００３４】
また、表示部２０の向きを変更したい場合には、他の状態を経ずに、いきなり目指す状態に移行することが可能である。例えば、横位置ハイアングルから縦位置ハイアングルに変更したい場合には、図１９（Ａ）に示したように、表示部２０の上辺および下辺に親指および人差し指をかけて、図１９（Ｂ）に示したように、その二本の指で表示部２０の右辺を手前に引き出すだけでよい。縦位置ローアングルから横位置ローアングルに変更したい場合にも、同様に、図２０（Ａ）に示したように、表示部２０の上辺および下辺に親指および人差し指をかけて、図２０（Ｂ）に示したように、親指で表示部２０の下辺を押し出すと共に人差し指で表示部２０の上辺を押さえるだけでよい。
【００３５】
これに対して従来では、例えば図２１に示したように、本体部１０２の背面下側に開閉ヒンジ機構１３１および回転ヒンジ機構１３２を設けて表示部１２０の傾斜角度を変更するようにしていた。すなわち、まず、開閉ヒンジ機構１３１により表示部１２０を矢印Ｒ１方向に開いたのち、回転ヒンジ機構１３２により表示部１２０を矢印Ｒ２方向に回転させる。本実施の形態では、このような二段階の動作は不要である。すなわち、本実施の形態では、表示部２０を開く，たたむ，回すなどの撮影に必要ない動作をしなくて済み、ストレスなく思い通りに表示部２０を動かすことが可能となり、使用者の使い心地が向上する。
【００３６】
更に、本実施の形態では、図２２に示したように、縦位置コントロールグリップ６０を装着した状態でも表示部２０の傾斜角度を自由に変更することが可能であり、特に縦位置撮影時の利便性が向上する。この点、従来では、図２３に示したように、回転ヒンジ機構１３２により表示部１２０を矢印Ｒ２方向に回転させる際に、表示部１２０と縦位置コントロールグリップ１６０とが干渉してしまうので、縦位置コントロールグリップ１６０の装着は困難であった。
【００３７】
このように本実施の形態では、表示部２０とこの表示部２０の取付対象である本体部２とを４本のアーム３０により接続し、アーム３０の本体部２に対する傾斜角度を各々独立に変更可能であるようにしたので、表示部２０の傾斜角度を自由に変更することが可能となる。
【００３８】
以上、実施の形態を挙げて本開示を説明したが、本開示は上記実施の形態に限定されるものではなく、種々の変形が可能である。例えば、上記実施の形態では、第１可動接合部３２および第２可動接合部３３が例えば球状である場合について説明したが、第１可動接合部３２および第２可動接合部３３は、例えば、ゴム等の弾性材料により構成されていることも可能である。
【００３９】
また、例えば、上記実施の形態では、アーム３０が４本設けられている場合について説明したが、アーム３０は、４本，８本，１２本など、４の倍数本、設けることが可能である。例えば、アーム３０が８本設けられている場合には、図２４に示したように、８本の案内溝５３を、２本ずつ４方向に放射状に設けることが可能である。
【００４０】
更に、例えば、上記実施の形態では、第１可動接合部３２を表示部２０に、第２可動接合部３３を本体部２に取り付けて、アーム３０の本体部２に対する傾斜角度を変更する場合について説明した。しかしながら、第１可動接合部３２を本体部２に、第２可動接合部３３を表示部２０に取り付けて、アーム３０の表示部２０に対する傾斜角度を変更することも可能である。ただし、前者のほうが、表示部２０を薄型・軽量化することが可能となるので、表示部２０を使用者が手で持って動かしやすくなるという利点がある。
【００４１】
加えて、例えば、上記実施の形態では、表示部２０および収納部１６が矩形であり、アーム３０が表示部２０および収納部１６の対角線上に放射状に設けられている場合について説明したが、表示部２０および収納部１６は矩形に限らず、六角形などの多角形や円形であることも可能である。また、例えば、図面では、表示部２０の下辺の両端の角に四角い切欠きがある場合を表しているが、この切欠きは必ずしも設ける必要はない。
【００４２】
更にまた、例えば、上記実施の形態では、表示部２０の第１特定位置Ｐ１が表示部２０の中心であり、収納部１６の第２特定位置Ｐ２が収納部１６の四つの角である場合について説明したが、第１特定位置Ｐ１および第２特定位置Ｐ２を上記以外の位置におくことも可能である。例えば、表示部２０の第１特定位置Ｐ１を表示部２０の四つの角におき、収納部１６の第２特定位置Ｐ２を収納部１６の中心におくことも可能である。この場合、第１可動接合部３２を表示部２０の四つの角に分散して配置し、第２可動接合部３３を、本体部２の収納部１６における第２特定位置Ｐ２（収納部１６の中心）から、収納部１６の対角線上を、収納部１６の四つの角に向かって、放射状にｘｙ平面内で移動可能とすることが可能である。
【００４３】
加えてまた、例えば、上記実施の形態では、撮像装置１の例としてデジタル一眼レフカメラについて説明したが、本開示は、コンパクトカメラ，ビデオカメラなどの他の撮像装置にも適用可能である。
【００４４】
更にまた、例えば、上記実施の形態では、表示部２０が液晶表示素子により構成されている場合について説明したが、表示部２０は、液晶のほか、プラズマ，有機ＥＬ（Electroluminescence），無機ＥＬ，エレクトロデポジションもしくエレクトロクロミックなどの他の表示素子を用いたものであってもよい。
【００４５】
加えてまた、本開示の表示装置３は、撮像装置１の液晶モニタとしての用途に限られず、壁掛けテレビジョン装置，壁掛けモニタ装置，携帯電話，電話機やファクシミリ機，カーナビゲーション装置，デジタルフォトフレーム，電光掲示板などの他の表示装置への適用も可能である。
【００４６】
なお、本技術は以下のような構成を取ることも可能である。
（１）
表示部と、
前記表示部と前記表示部の取付対象とを接続し、前記表示部または前記取付対象に対する傾斜角度を各々独立に変更可能な、４の倍数本のアームと
を備えた表示装置。
（２）
前記アームの各々は、軸部と、前記軸部の両端の第１可動接合部および第２可動接合部を有し、前記第１可動接合部は前記表示部および前記取付対象の一方に対して回転可能に取り付けられ、前記第２可動接合部は前記表示部および前記取付対象の他方に対して面内移動可能に取り付けられている
前記（１）記載の表示装置。
（３）
前記第１可動接合部および前記第２可動接合部は、球状である
前記（２）記載の表示装置。
（４）
前記第１可動接合部は、前記表示部および前記取付対象の一方における第１特定位置に配置され、
前記第２可動接合部は、前記表示部および前記取付対象の他方における第２特定位置から放射状に面内移動可能である
前記（２）または（３）記載の表示装置。
（５）
前記第２可動接合部は、前記表示部または前記取付対象の他方に固定された一対の板の間に挟み込まれていると共に前記一対の板に設けられた案内溝に沿って面内移動可能である
前記（４）記載の表示装置。
（６）
前記一対の板はスペーサを挟んでねじにより固定されており、前記ねじの座面と前記板との間にゴムワッシャが設けられている
前記（５）記載の表示装置。
（７）
前記表示部および前記取付対象の一方に固定されると共に前記第１可動接合部を回転可能に収容する保持器を有するアームホルダーを備えた
前記（２）ないし（６）のいずれか１項に記載の表示装置。
【符号の説明】
【００４７】
１…撮像装置、２…本体部、３…表示装置、１１…ファインダ、１２…アイセンサ、１３…アイフード、１５…後部外装部材（リアカバー）、１６…収納部、２０…表示部、２１…液晶セル、２２…表側被覆部材、２３…裏側被覆部材、３０…アーム、３１…軸部、３２…第１可動接合部、３３…第２可動接合部、４０…アームホルダー、４１…ゴムワッシャ、５１…外側の板、５２…内側の板、５３…案内溝、５３Ａ…外側の端、５３Ｂ…内側の端、６０…縦位置コントロールグリップ、Ｐ１，Ｐ２…特定位置。
【図１】
2013088626.tif 000003
【図２】
2013088626.tif 000004
【図３】
2013088626.tif 000005
【図４】
2013088626.tif 000006
【図５】
2013088626.tif 000007
【図６】
2013088626.tif 000008
【図７】
2013088626.tif 000009
【図８】
2013088626.tif 000010
【図９】
2013088626.tif 000011
【図１０】
2013088626.tif 000012
【図１１】
2013088626.tif 000013
【図１２】
2013088626.tif 000014
【図１３】
2013088626.tif 000015
【図１４】
2013088626.tif 000016
【図１５】
2013088626.tif 000017
【図１６】
2013088626.tif 000018
【図１７】
2013088626.tif 000019
【図１８】
2013088626.tif 000020
【図１９】
2013088626.tif 000021
【図２０】
2013088626.tif 000022
【図２１】
2013088626.tif 000023
【図２２】
2013088626.tif 000024
【図２３】
2013088626.tif 000025
【図２４】
2013088626.tif 000026